(57)【要約】【課題】画像の画質の劣化を抑えることにある。【解決手段】記録媒体と接触した接触状態で、該記録媒体を支持し、かつ、加熱する支持部と、前記支持部により支持され、かつ、加熱された記録媒体に画像を記録する記録部と、前記記録部をクリーニングするクリーニング部と、前記接触状態と非接触状態とを切り替える切り替え部と、前記クリーニング部に前記記録部をクリーニングさせる際に前記支持部と前記記録媒体とが前記非接触状態となるように、前記切り替え部を制御するコントローラーと、を有することを特徴とする。【選択図】図４
2012061621.tif 000002
【特許請求の範囲】
【請求項１】
記録媒体と接触した接触状態で、該記録媒体を支持し、かつ、加熱する支持部と、
前記支持部により支持され、かつ、加熱された記録媒体に画像を記録する記録部と、
前記記録部をクリーニングするクリーニング部と、
前記接触状態と非接触状態とを切り替える切り替え部と、
前記クリーニング部に前記記録部をクリーニングさせる際に前記支持部と前記記録媒体
とが前記非接触状態となるように、前記切り替え部を制御するコントローラーと、
を有することを特徴とする記録装置。
【請求項２】
記録媒体と接触した接触状態で、該記録媒体を支持し、かつ、加熱する支持部と、
前記支持部により支持され、かつ、加熱された記録媒体に画像を記録する記録部と、
前記接触状態と非接触状態とを切り替える切り替え部と、
前記画像の記録のためのジョブを受付可能であり、かつ、該ジョブを実行していない場
合に前記支持部と前記記録媒体とが前記非接触状態となるように、前記切り替え部を制御
するコントローラーと、
を有することを特徴とする記録装置。
【請求項３】
請求項１又は請求項２に記載の記録装置において、
前記切り替え部は、前記支持部を移動させることにより、前記接触状態と前記非接触状
態とを切り替えることを特徴とする記録装置。
【請求項４】
請求項１乃至請求項３のいずれかに記載の記録装置において、
前記支持部は、前記記録媒体を支持する支持面に複数の孔を有し、
前記複数の孔から前記記録媒体へ向けて送風する送風機を備え、
前記コントローラーは、
前記支持部と前記記録媒体とが前記非接触状態となるように、前記切り替え部を制御す
るとともに、前記支持部から離間している前記記録媒体へ向けた送風を前記送風機に実行
させることを特徴とする記録装置。
【請求項５】
記録媒体と接触した接触状態で、該記録媒体を支持し、かつ、加熱する支持部と、
前記支持部により支持され、かつ、加熱された記録媒体に画像を記録する記録部と、
前記記録部をクリーニングするクリーニング部と、
前記接触状態と非接触状態とを切り替える切り替え部と、を有する記録装置を準備する
ことと、
前記クリーニング部に前記記録部をクリーニングさせる際に前記支持部と前記記録媒体
とが前記非接触状態となるように、前記切り替え部を制御することと、
を有することを特徴とする記録装置の制御方法。
【請求項６】
記録媒体と接触した接触状態で、該記録媒体を支持し、かつ、加熱する支持部と、
前記支持部により支持され、かつ、加熱された記録媒体に画像を記録する記録部と、
前記接触状態と非接触状態とを切り替える切り替え部と、を有する記録装置を準備する
ことと、
前記画像の記録のためのジョブを受付可能であり、かつ、該ジョブを実行していない場
合に前記支持部と前記記録媒体とが前記非接触状態となるように、前記切り替え部を制御
することと、
を有することを特徴とする記録装置の制御方法。
【発明の詳細な説明】
【技術分野】
【０００１】
本発明は、記録装置、及び、記録装置の制御方法に関する。
【背景技術】
【０００２】
インクジェット式プリンター等の記録装置は既によく知られている。
【０００３】
かかる記録装置の中には、記録媒体と接触した接触状態で、該記録媒体を支持し、かつ
、加熱する支持部と、前記支持部により支持され、かつ、加熱された記録媒体に画像を記
録する記録部と、を有するものがある。
【先行技術文献】
【特許文献】
【０００４】
【特許文献１】特開２００５−２４６９０８号公報
【発明の概要】
【発明が解決しようとする課題】
【０００５】
ところで、上記記録装置において、記録媒体が長時間支持部により加熱されることによ
り、記録媒体にシワが発生する場合がある。そして、当該シワは、記録部の記録媒体に対
する物理的干渉や記録ムラを引き起こし、このことにより画像の画質の劣化が生じる可能
性がある。
【０００６】
本発明は、かかる課題に鑑みてなされたものであり、その目的とするところは、画像の
画質の劣化を抑えることにある。
【課題を解決するための手段】
【０００７】
主たる本発明は、記録媒体と接触した接触状態で、該記録媒体を支持し、かつ、加熱す
る支持部と、前記支持部により支持され、かつ、加熱された記録媒体に画像を記録する記
録部と、前記記録部をクリーニングするクリーニング部と、前記接触状態と非接触状態と
を切り替える切り替え部と、前記クリーニング部に前記記録部をクリーニングさせる際に
前記支持部と前記記録媒体とが前記非接触状態となるように、前記切り替え部を制御する
コントローラーと、を有することを特徴とする記録装置である。  
本発明の他の特徴については、本明細書及び添付図面の記載により明らかにする。
【図面の簡単な説明】
【０００８】
【図１】プリンター１１の概略正面図である。
【図２】プラテン２８の概略断面図である。
【図３】プリンター１１の全体構成ブロック図である。
【図４】プリンター１１の動作例を説明するための説明図である。
【図５】比較例に係るプリンター１１においてシワが発生する箇所を示した模式図である。
【発明を実施するための形態】
【０００９】
本明細書及び添付図面の記載により、少なくとも次のことが明らかにされる。  
記録媒体と接触した接触状態で、該記録媒体を支持し、かつ、加熱する支持部と、
前記支持部により支持され、かつ、加熱された記録媒体に画像を記録する記録部と、
前記記録部をクリーニングするクリーニング部と、
前記接触状態と非接触状態とを切り替える切り替え部と、
前記クリーニング部に前記記録部をクリーニングさせる際に前記支持部と前記記録媒体
とが前記非接触状態となるように、前記切り替え部を制御するコントローラーと、
を有することを特徴とする記録装置。  
かかる記録装置によれば、画像の画質の劣化を抑えることが可能となる。
【００１０】
記録媒体と接触した接触状態で、該記録媒体を支持し、かつ、加熱する支持部と、
前記支持部により支持され、かつ、加熱された記録媒体に画像を記録する記録部と、
前記接触状態と非接触状態とを切り替える切り替え部と、
前記画像の記録のためのジョブを受付可能であり、かつ、該ジョブを実行していない場
合に前記支持部と前記記録媒体とが前記非接触状態となるように、前記切り替え部を制御
するコントローラーと、
を有することを特徴とする記録装置。  
かかる記録装置によれば、画像の画質の劣化を抑えることが可能となる。
【００１１】
また、前記切り替え部は、前記支持部を移動させることにより、前記接触状態と前記非
接触状態とを切り替えることとしてもよい。  
かかる場合には、記録装置の性能を損なわせることなく、画像の画質の劣化を抑えるこ
とができる。
【００１２】
また、前記支持部は、前記記録媒体を支持する支持面に複数の孔を有し、
前記複数の孔から前記記録媒体へ向けて送風する送風機を備え、
前記コントローラーは、
前記支持部と前記記録媒体とが前記非接触状態となるように、前記切り替え部を制御す
るとともに、前記支持部から離間している前記記録媒体へ向けた送風を前記送風機に実行
させることとしてもよい。  
かかる場合には、支持部と記録媒体とが接触していない状態を確実に維持することが可
能となる。
【００１３】
次に、記録媒体と接触した接触状態で、該記録媒体を支持し、かつ、加熱する支持部と
、
前記支持部により支持され、かつ、加熱された記録媒体に画像を記録する記録部と、
前記記録部をクリーニングするクリーニング部と、
前記接触状態と非接触状態とを切り替える切り替え部と、を有する記録装置を準備する
ことと、
前記クリーニング部に前記記録部をクリーニングさせる際に前記支持部と前記記録媒体
とが前記非接触状態となるように、前記切り替え部を制御することと、
を有することを特徴とする記録装置の制御方法。  
かかる記録装置の制御方法によれば、画像の画質の劣化を抑えることが可能となる。
【００１４】
記録媒体と接触した接触状態で、該記録媒体を支持し、かつ、加熱する支持部と、
前記支持部により支持され、かつ、加熱された記録媒体に画像を記録する記録部と、
前記接触状態と非接触状態とを切り替える切り替え部と、を有する記録装置を準備する
ことと、
前記画像の記録のためのジョブを受付可能であり、かつ、該ジョブを実行していない場
合に前記支持部と前記記録媒体とが前記非接触状態となるように、前記切り替え部を制御
することと、
を有することを特徴とする記録装置の制御方法。  
かかる記録装置の制御方法によれば、画像の画質の劣化を抑えることが可能となる。
【００１５】
＝＝＝プリンター１１の構成例について＝＝＝
以下、本発明の記録装置をインクジェット式プリンター（以下、プリンターという）に
具体化した実施形態を図面に基づいて説明する。なお、以下の説明において、「上下方向
」、「左右方向」をいう場合は、図１に矢印で示した方向を基準として示すものとする。
また、「前後方向」をいう場合は、図１において紙面に直交する方向を示すものとする。
【００１６】
図１は、本実施形態のプリンター１１の概略正面図である。  
図１に示すように、本実施形態の記録装置としてのプリンター１１は、記録媒体の一例
としてのロール紙１２を繰り出す繰出部１３から繰り出されたロール紙１２に順次印刷を
行う本体部１４と、該本体部１４で記録動作が行われたロール紙１２を巻き取る巻取部１
５とを備えている。なお、本体部１４は、直方体状の本体ケース１６を備えている。そし
て、ロール紙１２の搬送方向において上流側となる本体ケース１６の左側には、繰出部１
３が配設されている。また、ロール紙１２の搬送方向において下流側となる本体ケース１
６の右側には、巻取部１５が配設されている。
【００１７】
繰出部１３は、本体ケース１６の左面下端部から左方に延びる支持板１７を備えている
。そして、支持板１７の左端部には、前方（図１において紙面と直交する方向の手前側）
に向かって延びる巻軸１８が、支持板１７に対して回転可能に支持されている。また、巻
軸１８には、予めロール状に巻かれたロール紙１２が、該巻軸１８と一体回転可能に支持
されている。
【００１８】
また、繰出部１３は、本体ケース１６の左面中央部から左方に向かって水平に延びる平
板状の繰出台１９を備えている。そして、繰出台１９の先端部には、巻軸１８から繰り出
されるロール紙を巻き掛けて繰出台１９の上面に導くための中継ローラー２０が回転可能
に設けられている。そして、ロール紙１２は、繰出台１９の上面に沿って右側（本体部１
４側）に向かって搬送される。
【００１９】
本体部１４の本体ケース１６内における上下方向の中央部より上寄りの領域は、ロール
紙１２に印刷を行うための印刷室２２となっている。
【００２０】
本体ケース１６の左壁には、繰出台１９の上面から本体ケース１６内にロール紙１２を
搬入するための搬入口（不図示）が設けられている。そして、本体部１４には、上記搬入
口と近傍位置で対向するように、中継ローラー２３が回転可能に設けられている。
【００２１】
また、本体ケース１６内における中継ローラー２３の右斜め下方には、中継ローラー２
４が回転可能に設けられている。そして、ロール紙１２は、本体ケース１６内に搬入され
た後、中継ローラー２４に左側上方から巻き掛けられて、印刷室２２の左端部よりの位置
に向かうように搬送される。
【００２２】
印刷室２２の左端部寄りの位置には、ロール紙１２を挟持して搬送力を付与する第一搬
送ローラー対２５が設けられている。第一搬送ローラー対２５は、第一搬送モーター２６
（図３参照）に対して動力伝達可能に連結された第一駆動ローラー２５ａと、該第一駆動
ローラー２５ａに対してロール紙１２を挟んで対向するように配置された第一従動ローラ
ー２５ｂとによって構成されている。そして、第一駆動ローラー２５ａに左側下方から巻
き掛けられたロール紙１２は、第一駆動ローラー２５ａの回転駆動に伴って、印刷室２２
内を第一搬送ローラー対２５から右方向に水平に搬送されるようになっている。また、印
刷室２２内における第一搬送ローラー対２５の右側の領域には支持部の一例としてのプラ
テン２８が設けられている。すなわち、第一搬送ローラー対２５は、プラテン２８の上流
側端部の近傍位置に設けられている。
【００２３】
プラテン２８は、ロール紙１２と接触した接触状態で、当該ロール紙１２を支持するた
めのものである。このプラテン２８は、図２に示すように、上面が開口した有底略箱体状
をなす支持台２８ａと当該支持台２８ａの上方において支持台２８ａの上側の開口を閉塞
する短形板状の載置板２８ｂとから構成されている。そして、当該載置板２８ｂがロール
紙１２を支持する支持面ＰＬとなっている。
【００２４】
また、当該プラテン２８は、上下方向に移動可能となっており、前述した接触状態だけ
でなく、ロール紙１２と接触しない（離間した）非接触状態とも成り得る。すなわち、本
実施の形態に係るプリンター１１には、当該プラテン２８を上下方向に移動させることに
より、当該接触状態と非接触状態とを切り替える切り替え部の一例としての切り替えユニ
ット７０が備えられている。そして、当該切り替えユニット７０は、接触状態にあるプラ
テン２８を下降させることにより、プラテン２８をロール紙１２から離間させ（非接触状
態とし（図４の下図参照））、非接触状態にあるプラテン２８を上昇させることにより、
プラテン２８をロール紙１２に接触させる（接触状態とする（図４の上図参照））。なお
、本実施の形態においては、当該切り替えユニット７０として、不図示のプラテン移動用
モーター、ボールネジ７０ａを備える公知の機構が用いられている。また、どのようなと
きに、前記非接触状態となるかについては、後に詳述する。
【００２５】
また、プラテン２８は、前記支持面ＰＬ（載置板２８ｂ）に、該載置板２８ｂを上下方
向（載置板２８ｂの厚み方向）に貫通する多数（図２では５つのみ図示）の貫通孔Ａ（複
数の孔に相当）を備えている。また、支持台２８ａの左側壁部には排気口Ｂが形成されて
おり、該排気口Ｂを介して排気ファン２９が連結されている。そして、排気ファン２９が
回転すると、支持台２８ａと載置板２８ｂとの間で囲繞される空間内の空気は排気口Ｂを
通じて外部に排気される。すなわち、支持台２８ａと載置板２８ｂとの間で囲繞される空
間は排気ファン２９の回転に基づいて負圧を発生する負圧室３１となっている。排気ファ
ン２９の回転に基づいて負圧室３１に負圧が生じた場合には、該負圧室３１と連通する載
置板２８ｂの貫通孔Ａ内にも同様に負圧が作用する。そのため、載置板２８ｂの貫通孔Ａ
は、プラテン２８の支持面ＰＬ上を搬送するロール紙１２に対して吸着力を作用させる吸
引孔として機能するようになっている。なお、負圧室３１には、排気ファン２９の回転に
伴う負圧室３１の圧力変化を検出する圧力検出センサー３２が設けられている。
【００２６】
また、支持台２８ａの右側壁部には吸気口Ｃが形成されており、該吸気口Ｃを介して送
風機の一例としての吸気ファン８０が連結されている。そして、吸気ファン８０が回転す
ると、外部の空気は吸気口Ｃを通じて支持台２８ａと載置板２８ｂとの間で囲繞される空
間（つまり、負圧室３１）内に吸気される。そして、当該空間内に吸気された空気は、貫
通孔Ａから排出され、当該貫通孔Ａからロール紙１２へ向けて送られることとなる。なお
、前記排気ファン２９及び吸気ファン８０が第一送風ユニット５０を構成している。
【００２７】
また、プラテン２８の下方には、プラテン２８を加熱するためのヒーターユニット６１
が内蔵されている。そして、ヒーターユニット６１によって加熱されたプラテン２８が、
ロール紙１２と接触した接触状態で、当該ロール紙１２を加熱するようになっている。そ
して、ロール紙１２がプラテン２８により加熱されると、ロール紙１２に噴射されたイン
クの乾燥が促進されることとなる。なお、プラテン２８には、プラテン２８の温度を検出
する温度検出センサー６２が設けられている。温度検出センサー６２が検知した温度に基
づいて、コントローラー１１０（後述）は、プラテン２８が所定の温度（例えば、４５℃
）となるように、ヒーターユニット６１の加熱量を制御する。
【００２８】
また、図１に示すように、印刷室２２内におけるプラテン２８の右側の領域には、ロー
ル紙１２を挟持して搬送力を付与する第二搬送ローラー対３３が設けられている。すなわ
ち、第二搬送ローラー対３３は、プラテン２８の下流側端部の近傍位置に設けられている
。第二搬送ローラー対３３は、第二搬送モーター３４（図３参照）に対して動力伝達可能
に連結された第二駆動ローラー３３ａと、該第二駆動ローラー３３ａに対してロール紙１
２を挟んで対向するように配置された第二従動ローラー３３ｂとによって構成されている
。
【００２９】
第二駆動ローラー３３ａには、第一搬送ローラー対２５からプラテン２８の支持面ＰＬ
上を水平右方向に搬送されるロール紙１２が左側上方から巻き掛けられている。そして、
ロール紙１２は、その搬送方向が水平右方向から鉛直下方向に転換されている。また、ロ
ール紙１２は、第二駆動ローラー３３ａによって搬送方向が鉛直下方向に転換された後、
鉛直下方に搬送される。なお、第二駆動ローラー３３ａの上面は、第一駆動ローラー２５
ａの上面、及び、プラテン２８の支持面ＰＬに対してお互いに面一になっている。また、
第二従動ローラー３３ｂは、ロール紙１２の印刷面における幅方向（前後方向）の端縁部
のみに当接する構成となっている。なお、第一搬送モーター２６、第二搬送モーター３４
等は、搬送ユニット２１を構成している。
【００３０】
印刷室２２内におけるプラテン２８の前後両側には、左右方向に延びるガイドレール３
５（図１では二点鎖線で示す）が対をなすように設けられている。なお、ガイドレール３
５の上面は、プラテン２８の支持面ＰＬよりも高くなっている。また、両ガイドレール３
５の上面には、短形板状のキャリッジユニット３５ａが、両ガイドレール３５に沿って左
右方向へ往復移動可能な状態で支持されている。
【００３１】
キャリッジユニット３５ａの下面には、記録部の一例としてのヘッドユニット３６が支
持されている。ヘッドユニット３６の下面には、多数のインク吐出ノズル（図示略）が前
後方向に列設されている。また、印刷室２２内における本体ケース１６の上壁には、イン
クを一時貯留するためのバルブユニット３７が設けられている。バルブユニット３７は、
インク供給チューブ（不図示）を介してヘッドユニット３６に接続されている。そして、
ヘッドユニット３６は、バルブユニット３７から供給されたインクをインク吐出ノズルか
らプラテン２８上に搬送されて停止された状態のロール紙１２の表面に向けて噴射するこ
とにより、プラテン２８により支持され、かつ、加熱されたロール紙１２に画像を記録す
るようになっている。
【００３２】
したがって、ロール紙１２の搬送経路の途中位置であってプラテン２８の左端から右端
までの領域は、インク吐出ノズルからのインクの噴射によりロール紙１２に対して印刷が
行われる印刷領域Ｒとされている。そして、ロール紙１２は、その搬送経路に沿って印刷
領域Ｒと対応した領域単位で間欠的に搬送されるようになっている。
【００３３】
また、本体ケース１６の上側部分には、第二送風ユニット６３が設けられている。第二
送風ユニット６３の送風ファンが、プリンター１１の外部から空気を取り入れ、その空気
をプラテン２８に支持されたロール紙１２に向けて送ることで、ロール紙１２に噴射され
たインクの乾燥が促進されるようになっている。
【００３４】
第二駆動ローラー３３ａに巻き掛けられて鉛直下方向に搬送されたロール紙１２は、本
体ケース１６内における第二駆動ローラー３３ａの鉛直下方となる位置に回転可能に配設
された反転ローラー３８に左側上方から巻き掛けられ、やや右斜め上方に向かって搬送さ
れる。そして、反転ローラー３８から搬送されたロール紙１２は、本体ケース１６内にお
ける反転ローラー３８の右方に回転可能に設けられた中継ローラー３９に左側下方から巻
き掛けられ、本体ケース１６内を本体ケース１６の右壁に沿うように上方に向かって搬送
される。なお、印刷領域Ｒにて印刷が施された後のロール紙１２は、本体ケース１６内を
搬送される過程で自然乾燥されることとなる。
【００３５】
また、本体ケース１６の右壁には、ロール紙１２を巻取部１５側へ搬出するための搬出
口（不図示）が設けられている。また、本体ケース１６内における上記搬出口と近傍位置
で対向する位置には、送り出しローラー４０が回転可能に設けられている。そして、送り
出しローラー４０は、上記搬入口を介してロール紙１２を巻取部１５側へ送り出すように
なっている。
【００３６】
巻取部１５は、直方体状の巻き取りフレーム４１を備えている。また、巻き取りフレー
ム４１の上端部には、中継ローラー４２が回転可能に設けられている。そして、上記搬入
口から送り出されたロール紙１２は、中継ローラー４２に左側上方から巻き掛けられ、右
斜め下方に向けて搬送される。
【００３７】
巻き取りフレーム４１における中継ローラー４２の右斜め下方には、前方に向かって延
びる巻き取り駆動軸４３が、巻き取りフレーム４１に対して回転駆動可能に支持されてい
る。巻き取り駆動軸４３には、中継ローラー４２から右斜め可能に向かって搬送されたロ
ール紙１２が巻き付けられている。そして、ロール紙１２は、巻き取り駆動軸４３の回転
駆動に伴って順次巻き取られるようになっている。
【００３８】
また、本体部１４は、本体部１４内の左側上方にクリーニングユニット６６（クリーニ
ング部に相当）を備えている。クリーニングユニット６６は、記録動作開始又は前回のク
リーニング時から一定時間経過後等の所定のタイミングで、ヘッドユニット３６が適切に
インクを吐出できるようにヘッドユニット３６をクリーニングする機構である。クリーニ
ングユニット６６は、インクを吸引するための負圧発生源としての吸引ポンプ（不図示）
、ヘッドユニット３６の吐出口面を拭き取り清掃するワイパー（不図示）などを備えてい
る。ヘッドユニット３６のクリーニングとは、吸引ポンプによる吸引やワイパーによるワ
イピングを行うことにより、ノズルの目詰まりの解消やノズル配置面に付着しているイン
クやゴミの除去などを行うことである。ヘッドユニット３６をクリーニングする際には、
キャリッジユニット３５ａがヘッドユニット３６をクリーニングユニット６６に搬送する
。クリーニングユニット６６のクリーニング動作には、１回につき３分から１０分程度要
する。
【００３９】
次に、本実施の形態に係るプリンター１１の制御構成について、図３を用いて説明する
。外部装置６０から印刷指令（印刷データ）を受信したプリンター１１は、コントローラ
ー１１０により、各ユニット（搬送ユニット２１、キャリッジユニット３５ａ、ヘッドユ
ニット３６、バルブユニット３７、ヒーターユニット６１、第一送風ユニット５０、第二
送風ユニット６３、切り替えユニット７０）を制御し、連続紙Ｓに画像を記録する。また
、プリンター１１内の状況を検出器群１５０が監視し、その検出結果に基づいて、コント
ローラー１１０は各ユニットを制御する。検出器群１５０の中には、前述した圧力検出セ
ンサー３２、温度検出センサー６２等がある。
【００４０】
コントローラー１１０は、プリンター１１の制御を行うための制御ユニットである。イ
ンターフェース部１１１は、外部装置６０とプリンター１１との間でデータの送受信を行
うためのものである。ＣＰＵ１１２は、プリンター１１全体の制御を行うための演算処理
装置である。メモリー１１３は、ＣＰＵ１１２のプログラムを格納する領域や作業領域等
を確保するためのものである。ＣＰＵ１１２は、メモリー１１３に格納されているプログ
ラムに従ったユニット制御回路１１４により各ユニットを制御する。
【００４１】
＝＝＝プリンター１１の動作例について＝＝＝
次に、上記のように構成されたプリンター１１の動作例について、図４を用いて説明す
る。図４は、プリンター１１の動作例を説明するための説明図である。
【００４２】
コントローラー１１０は、プリンター１１の動作に関する処理ルーチンのプログラムを
メモリー１１３から読み出して実行することにより、プリンター１１における記録動作制
御及びクリーニング動作制御を行う。なお、本実施形態では、コントローラー１１０が記
録動作及びクリーニング動作に関するルーチンのプログラムを実行する前段階で、外部装
置６０からコントローラー１１０に印刷データが予め入力されているものとする。
【００４３】
外部装置６０から印刷指令（印刷データ）を受信すると、コントローラー１１０は記録
動作を実行する。そして、当該記録動作が実行される際に、コントローラー１１０は、プ
ラテン２８の支持面ＰＬ上に位置するロール紙１２に対するインク吐出をヘッドユニット
３６に行なわせるが、このときに、図４の上図に示すように、プラテン２８は、ロール紙
１２と接触した接触状態で当該ロール紙１２を支持しており、かつ、排気ファン２９の回
転（このとき、吸気ファン８０は静止している）により貫通孔Ａ内に負圧が作用すること
により、貫通孔Ａが前述した吸引孔として機能している。
【００４４】
ロール紙１２がプラテン２８と接触し吸引された状態で、記録動作が所定時間継続して
実行されると、コントローラー１１０は、記録動作を中断して、クリーニング動作を実行
する。すなわち、コントローラー１１０は、キャリッジユニット３５ａにヘッドユニット
３６をクリーニングユニット６６まで搬送させ、クリーニングユニット６６にヘッドユニ
ット３６をクリーニングさせる。そして、かかる際に（本実施の形態においては、記録動
作終了後であって、クリーニングユニット６６によるヘッドユニット３６のクリーニング
が開始される前に）、コントローラー１１０は、切り替えユニット７０を制御し、コント
ローラー１１０により制御された当該切り替えユニット７０は、接触状態にあるプラテン
２８を下降させることにより、プラテン２８をロール紙１２から離間させる（非接触状態
とする）。また、かかる際に（本実施の形態においては、記録動作終了後であって、クリ
ーニングユニット６６によるヘッドユニット３６のクリーニングが開始される前に）、コ
ントローラー１１０は、プラテン２８の移動に加えて、回転している排気ファン２９を静
止させて、代わりに吸気ファン８０を回転させ、風が貫通孔Ａからロール紙１２へ向けて
送られるようにする。そして、このことにより、クリーニングユニット６６がヘッドユニ
ット３６をクリーニングする際には、図４の下図に示すように、プラテン２８とヘッドユ
ニット３６とが非接触状態となる。つまり、コントローラー１１０は、クリーニングユニ
ット６６にヘッドユニット３６をクリーニングさせる際にプラテン２８とロール紙１２と
が非接触状態となるように、切り替えユニット７０を制御するとともに、プラテン２８か
ら離間しているロール紙１２へ向けた送風を吸気ファン８０に実行させる。
【００４５】
プラテン２８とロール紙１２とが非接触状態で、クリーニング動作が所定時間継続して
実行されると、コントローラー１１０は、中断していた記録動作を再開させる。そして、
かかる際に（本実施の形態においては、クリーニングユニット６６によるヘッドユニット
３６のクリーニングの終了後であって、記録動作開始前に）、コントローラー１１０は、
切り替えユニット７０を制御し、コントローラー１１０により制御された当該切り替えユ
ニット７０は、非接触状態にあるプラテン２８を上昇させることにより、プラテン２８を
ロール紙１２に接触させる（接触状態とする）。また、かかる際に（本実施の形態におい
ては、クリーニングユニット６６によるヘッドユニット３６のクリーニングの終了後であ
って、記録動作開始前に）、コントローラー１１０は、プラテン２８の移動に加えて、回
転している吸気ファン８０を静止させて、代わりに排気ファン２９を回転させ、貫通孔Ａ
を吸引孔として機能させる。
【００４６】
なお、上述した記録動作及びクリーニング動作のいずれにおいても、ヒーターユニット
６１は作動しており（ＯＮされたままであり）、プラテン２８がヒーターユニット６１に
よって加熱された状態が継続されている。
【００４７】
＝＝＝本実施の形態に係るプリンター１１の有効性について＝＝＝
上述したとおり、本実施の形態に係るプリンター１１は、ロール紙１２と接触した接触
状態で、該ロール紙１２を支持し、かつ、加熱するプラテン２８と、プラテン２８により
支持され、かつ、加熱されたロール紙１２に画像を記録するヘッドユニット３６と、ヘッ
ドユニット３６をクリーニングするクリーニングユニット６６と、前記接触状態と非接触
状態とを切り替える切り替えユニット７０と、クリーニングユニット６６にヘッドユニッ
ト３６をクリーニングさせる際にプラテン２８とロール紙１２とが前記非接触状態となる
ように切り替えユニット７０を制御するコントローラー１１０と、を有する。そして、こ
のことにより、画像の画質の劣化を抑えることが可能となる。
【００４８】
上記につき、本実施の形態に係るプリンター１１と比較例に係るプリンター１１とを比
較しながら、図５を用いて説明する。図５は、比較例に係るプリンター１１においてシワ
が発生する箇所を示した模式図である。比較例に係るプリンター１１は、本実施の形態に
係るプリンター１１と同様、ロール紙１２と接触した接触状態で、該ロール紙１２を支持
し、かつ、加熱するプラテン２８と、プラテン２８により支持され、かつ、加熱されたロ
ール紙１２に画像を記録するヘッドユニット３６と、ヘッドユニット３６をクリーニング
するクリーニングユニット６６と、を有している。しかしながら、切り替えユニット７０
は設けられておらず、このことにより、クリーニングユニット６６にヘッドユニット３６
をクリーニングさせる際にもプラテン２８とロール紙１２とが接触状態となる。
【００４９】
比較例に係るプリンター１１においては、切り替えユニット７０が設けられていないこ
とに起因して、クリーニング動作中に、ロール紙１２とプラテン２８とが接触した状態と
なり、ロール紙１２がプラテン２８により加熱されることとなる。そして、よく知られて
いるようにクリーニング動作には長時間を要するため、クリーニング動作中にロール紙１
２がプラテン２８により長時間加熱され、プラテン２８上のロール紙１２の部位（図５中
、記号Ｐ１で示す）が過度に乾燥することとなる。一方、当該部位Ｐ１に隣接し当該部位
Ｐ１よりも搬送方向上流側に位置するロール紙１２の部位（図５中、記号Ｐ２で示す）は
、殆ど乾燥されないので、部位Ｐ１と部位Ｐ２との乾燥の度合いの差が著しく顕著となる
。そして、このことに起因して、比較例に係るプリンター１１においては、ロール紙１２
にシワ（図５中、記号Ｗで示す）が生じる不都合が発生してしまっていた。そして、当該
シワが、ヘッドユニット３６のロール紙１２に対する物理的干渉や印刷ムラ（記録ムラ）
を引き起こし、このことにより画像の画質の劣化が生じていた。
【００５０】
これに対し、本実施の形態に係るプリンター１１は切り替えユニット７０を有し、コン
トローラー１１０が、クリーニングユニット６６にヘッドユニット３６をクリーニングさ
せる際にプラテン２８とロール紙１２とが前記非接触状態となるように、切り替えユニッ
ト７０を制御する。そのため、プラテン２８、ロール紙１２間の空気が断熱層となって、
クリーニング動作中にロール紙１２がプラテン２８により長時間加熱され、プラテン２８
上のロール紙１２の部位Ｐ１が過度に乾燥することが、適切に回避され、前述したシワが
生じる不都合の発生が抑えられる。そのため、前述した物理的干渉や印刷ムラが生じず、
画像の画質の劣化が抑えられることとなる。
【００５１】
また、本実施の形態に係るプリンター１１においては、プラテン２８は、ロール紙１２
を支持する支持面ＰＬに複数の貫通孔Ａを有し、複数の貫通孔Ａからロール紙１２へ向け
て送風する吸気ファン８０を備え、コントローラー１１０は、プラテン２８とロール紙１
２とが非接触状態となるように、切り替えユニット７０を制御するとともに、プラテン２
８から離間しているロール紙１２へ向けた送風を吸気ファン８０に実行させることとした
。そのため、当該送風の効果によりプラテン２８とロール紙１２とが接触していない状態
を確実に維持することが可能となる。
【００５２】
＝＝＝その他の実施の形態＝＝＝
上記の実施の形態は、主として記録装置について記載されているが、記録方法等の開示
も含まれている。また、上記の実施形態は、本発明の理解を容易にするためのものであり
、本発明を限定して解釈するためのものではない。本発明は、その趣旨を逸脱することな
く、変更、改良され得ると共に、本発明にはその等価物が含まれることは言うまでもない
。特に、以下に述べる実施形態であっても、本発明に含まれるものである。
【００５３】
上記実施の形態においては、記録装置をインクジェット式プリンターに具体化したが、
インク以外の他の液体を噴射したり吐出したりする液体噴射装置を採用してもよく、微小
量の液滴を吐出させる液体噴射ヘッド等を備える各種の液体噴射装置に流用可能である。
なお、液滴とは、上記液体噴射装置から吐出される液体の状態をいい、粒状、涙状、糸状
に尾を引くものも含むものとする。また、ここでいう液体とは、液体噴射装置が噴射させ
ることができるような材料であればよい。例えば、物質が液相であるときの状態のもので
あればよく、粘性の高い又は低い液状態、ゾル、ゲル水、その他の無機溶剤、有機溶剤、
溶液、液状樹脂、液状金属（金属融液）のような流状態、また物質の一状態としての液体
のみならず、顔料や金属粒子などの固形物からなる機能材料の粒子が溶媒に溶解、分散又
は混合されたものなどを含む。また、液体の代表的な例としては上記実施形態で説明した
ようなインクや液晶等が挙げられる。ここで、インクとは一般的な水性インク及び油性イ
ンク並びにジェルインク、ホットメルトインク等の各種液体組成物を包含するものとする
。液体噴射装置の具体例としては、例えば液晶ディスプレイ、ＥＬ（エレクトロルミネッ
センス）ディスプレイ、面発光ディスプレイ、カラーフィルタの製造などに用いられる電
極材や色材などの材料を分散又は溶解のかたちで含む液体を噴射する液体噴射装置、バイ
オチップ製造に用いられる生体有機物を噴射する液体噴射装置、精密ピペットとして用い
られ試料となる液体を噴射する液体噴射装置、捺染装置やマイクロディスペンサ等であっ
てもよい。さらに、時計やカメラ等の精密機械にピンポイントで潤滑油を噴射する液体噴
射装置、光通信素子等に用いられる微小半球レンズ（光学レンズ）などを形成するために
紫外線硬化樹脂等の透明樹脂液を基板上に噴射する液体噴射装置、基板などをエッチング
するために酸又はアルカリ等のエッチング液を噴射する液体噴射装置を採用してもよい。
そして、これらのうち何れか一種の噴射装置に本発明を適用することができる。
【００５４】
また、上記実施形態（第一実施形態と呼ぶ）に係るプリンター１１においては、コント
ローラー１１０が、クリーニングユニット６６にヘッドユニット３６をクリーニングさせ
る際にプラテン２８とロール紙１２とが非接触状態となるように切り替えユニット７０を
制御することとしたが、コントローラー１１０が、前記画像の記録のためのジョブを受付
可能であり、かつ、該ジョブを実行していない場合にプラテン２８とロール紙１２とが非
接触状態となるように切り替えユニット７０を制御する例も考えられる（第二実施形態と
呼ぶ）。そして、かかる第二実施形態においても、第一実施形態と同様、画像の画質の劣
化が抑えられることとなる。
【００５５】
すなわち、画像の記録のためのジョブを受付可能であり、かつ、該ジョブを実行してい
ない状態も、クリーニング動作と同様、長時間継続する可能性ある。そのため、切り替え
ユニット７０が設けられていないプリンター１１においては、プラテン２８上のロール紙
１２の部位Ｐ１が過度に乾燥して、シワが発生することにより、ジョブ実行により記録さ
れた画像の画質の劣化が生ずる可能性がある。
【００５６】
これに対し、第二実施形態に係るプリンター１１は切り替えユニット７０を有し、コン
トローラー１１０が、前記画像の記録のためのジョブを受付可能であり、かつ、該ジョブ
を実行していない場合にプラテン２８とロール紙１２とが前記非接触状態となるように、
切り替えユニット７０を制御する。そのため、プラテン２８上のロール紙１２の部位Ｐ１
が過度に乾燥することが、適切に回避され、シワが生じる不都合の発生が抑えられる。そ
のため、ジョブ実行により記録された画像の画質の劣化が抑えられることとなる。
【００５７】
また、上記実施の形態（第一実施形態及び第二実施形態）においては、切り替えユニッ
ト７０が、プラテン２８を移動させることにより、前記接触状態と前記非接触状態とを切
り替えることとしたが、これに限定されるものではなく、例えば、第一搬送ローラー対２
５及び第二搬送ローラー対３３を移動させる（上昇又は下降させる）ことにより、前記接
触状態と前記非接触状態とを切り替えることとしてもよい。
【００５８】
第一搬送ローラー対２５及び第二搬送ローラー対３３を移動させる（上昇又は下降させ
る）場合には、これらのローラーの紙送り精度（性能）に悪影響を与える可能性がある。
一方で、プラテン２８を移動させる場合には、このような不都合は生じず、プリンター１
１の性能を損なわせることなく、画像の画質の劣化を抑える目的を達成することができる
ため、上記実施の形態の方がより望ましい。
【００５９】
また、上記実施の形態においては、送風機として吸気ファン８０を例に挙げて説明した
が、これに限定されるものではなく、例えば、ブロワーであってもよい。
【００６０】
また、排気口Ｂや吸気口Ｃにシャッターを設けてもよい。図４の下図（上図）のように
排気ファン２９（吸気ファン８０）が静止している際に、当該シャッターを閉じて排気口
Ｂ（吸気口Ｃ）を塞ぐこととすれば、吸気ファン８０（排気ファン２９）の機能をより適
切に発揮させることが可能となる。
【符号の説明】
【００６１】
１１  プリンター、１２  ロール紙、１３  繰出部、１４  本体部、１５  巻取部、１６
本体ケース、１７  支持板、１８  巻軸、１９  繰出台、２０  中継ローラー、２１  
搬送ユニット、２２  印刷室、２３  中継ローラー、２４  中継ローラー、２５  第一搬
送ローラー対、２５ａ  第一駆動ローラー、２５ｂ  第一従動ローラー、２６  第一搬送
モーター、２８  プラテン、２８ａ  支持台、２８ｂ  載置板、２９  排気ファン、３１
負圧室、３２  圧力検出センサー、３３  第二搬送ローラー対、３３ａ  第二駆動ロー
ラー、３３ｂ  第二従動ローラー、３４  第二搬送モーター、３５  ガイドレール、３５
ａ  キャリッジユニット、３６  ヘッドユニット、３７  バルブユニット、３８  反転ロ
ーラー、３９  中継ローラー、４０  送り出しローラー、４１  巻き取りフレーム、４２
中継ローラー、４３  巻き取り駆動軸、５０  第一送風ユニット、６０  外部装置、６
１  ヒーターユニット、６２  温度検出センサー、６３  第二送風ユニット、６６  クリ
ーニングユニット、７０  切り替えユニット、７０ａ  ボールネジ、８０  吸気ファン、
１１０  コントローラー、１１１  インターフェース部、１１２  ＣＰＵ、１１３  メモ
リー、１１４  ユニット制御回路、１５０  検出器群、Ａ  貫通孔、Ｂ  排気口、Ｃ  吸
気口、ＰＬ  支持面、Ｒ  印刷領域
【図１】
2012061621.tif 000003
【図２】
2012061621.tif 000004
【図３】
2012061621.tif 000005
【図４】
2012061621.tif 000006
【図５】
2012061621.tif 000007